(57)【要約】【課題】扉の開閉を行うため用いられる扉のつまみ装置の扉への取り付けを簡単にする。【解決手段】つまみ部１０ｂを有する操作棒１０に、先端に凹部１１ｂが形成された突起部１１ｃを有する固定板１１、前記凹部１１ｂと係合する凸部を有する規制板１２、ばね１３、及びかぎ部１４をナット１５で固定して構成されたつまみ装置９を、自由端部に互いが連通した挿通口８ａ、孔部８ｂ、及び係合孔８ｃを有する扉８の当該挿通口８ａから挿入し、扉８の前面に当接させる。このとき、つまみ装置９の固定板１１に形成された突起部１１ｃを、扉８の孔部８ｂに係合し、つまみ部１０ｂを回動させることに基づいて前記固定板１１と規制板１２の係合を解除して、当該規制板１２の凸部１２ｂをばね１３の付勢力によって扉８の係合孔８ｃに係合させる。【選択図】  図１
2004339872.tif 000002
【特許請求の範囲】
【請求項１】
一端部につまみ部を有し、他端部に固定部を有する操作棒と、
この操作棒にそのつまみ部に当接するように嵌合された固定板と、
前記操作棒にこれと共に回動可能に嵌合され係止部を有する規制板と、
前記操作棒に通され前記規制板に当接する付勢部材と、
前記操作棒にこれと一体に回動可能に嵌合されたかぎ部と、
前記操作棒の固定部に取り付けられ、前記かぎ部の抜け止めを行って前記付勢部材に前記つまみ部方向への付勢力を作用させる抜け止め部材とを具備したことを特徴とする扉のつまみ装置。
【請求項２】
開口部を有し、且つ、その開口部に係止部材を有する対象物と、
この対象物の開口部にこれを開閉するように設けられ、挿入口及びこの挿入口近傍に被係止部を有する扉と、
請求項１記載のつまみ装置とを具備し、
前記つまみ装置を扉の挿入口にそのかぎ部側から挿入して固定板を扉の前面に回り止め状態に当接させ、その後、つまみ部を介して操作棒を所定方向に回動させることによってかぎ部を回動させて係止部材に係止させると共に、規制板を回動させて、その係止部を扉の被係止部に係止させて規制板を回動不能状態とし、
前記規制板により操作棒の回動をかぎ部が係止部材に係止する係止位置と、その係止が解除される解除位置との間に規制するようにしたことを特徴とする扉のつまみ装置の取り付け方法。
【請求項３】
一端部につまみ部を有し、他端部に長手方向に伸びる平面が形成されたねじ部を有し、つまみ部の付け根に前記ねじ部より突出した角型係合部を有する操作棒と、
この操作棒にそのつまみ部に当接するように嵌合され前記操作棒のねじ部側に位置して先端に凹部が形成された二つの突起部を有する固定板と、
前記操作棒に嵌合され前記凹部と係脱可能に係合する凸部を有し、これらの係合状態で前記角型係合部を内部に位置させて前記操作棒の略９０度の相対的回動を許容する切欠き部を有する規制板と、
前記操作棒に通され一端が前記規制板に当接するばねと、
前記操作棒のねじ部に嵌合され、その平面により前記操作棒と一体に回動するかぎ部と、
前記操作棒のねじ部に螺合され前記かぎ部の抜け止めを行って前記ばねに前記つまみ部方向への付勢力を作用させるナットとを具備したことを特徴とする扉のつまみ装置。
【請求項４】
開口部を有し、且つ、この開口部に係止部材を有する対象物と、
この対象物の開口部にこれを開閉するように回動可能に設けられ、挿入口を有し、且つ、この挿入口の近傍に二つの回り止め用凹部、及び二つの係合凹部を有する扉と、
請求項３記載のつまみ装置とを具備し、
前記つまみ装置を扉の挿入口にそのかぎ部側から挿入して固定板をその突起部を回り止め用凹部に係合させながら扉の前面に当接させ、その後、つまみ部を介して操作棒を所定方向に回動させることによってねじ部の平面によりかぎ部を回動させて係止部材に係止させると共に、角型係合部により規制板の切欠き部の縁部を押圧して当該規制板を回動させて、この規制板の回動により規制板の凸部と固定板の凹部の係合を解除させた後、その凸部を扉の係合凹部に係合させ、
その後は操作棒の回動が角型係合部が規制板の切欠き部内に位置する範囲内に規制されるようになっていることを特徴とするつまみ装置の取り付け方法。
【請求項５】
前記ばねとナットは金属製、他の部材は樹脂製であることを特徴とする請求項３記載の扉のつまみ装置。
【発明の詳細な説明】
【０００１】
【発明の属する技術分野】
本発明は、開口部を有する対象物を開閉する扉に用いられるつまみ装置、及び、その取り付け方法に関する。
【０００２】
【従来の技術】
例えば、対象物の開口部を開閉する扉には、扉のつまみ装置が取り付けられている。従来の扉のつまみ装置の一例を図１３に示す。
以下、図１３を参照して扉のつまみ装置の構成を、その取り付け手順と共に説明する。扉１００には挿入口１００ａ、及びその上下に位置して一対の小さな係合孔１００ｂが形成されている。この扉１００の前面に一対の係合突起１０１ａを有する固定板１０１を、その係合突起１０１ａを係合孔１００ｂに係合しながら当接させる。そして、この固定板１０１を介して、つまみ部１０２ａ、及び雄ねじ１０２ｂを有する操作棒１０２を前記挿入口１００ａに挿入し、扉１００の裏面に突き出た前記操作棒１０２の雄ねじ部１０２ｂ側からワッシャー１０３を介し、ばね１０４、かぎ部１０５を挿入し、前記雄ねじ部１０２ｂにナット１０６を螺合させ、以ってつまみ装置１０７を扉１００に一体に取り付ける。
【０００３】
このものでは、つまみ部１０２ａを介して操作棒１０２を回動させることにより、前記かぎ部１０５も連動して回動し、このかぎ部１０５が対象物の開口部１０８に設けられた係止部材１０９の裏面に係止して扉１００の開放を阻止、換言すれば閉塞状態を保持し、また、つまみ１０２ａを介して操作棒１０２を逆方向に回動させることにより、かぎ部１０５と前記係止部材１０９との係止が解除されて扉１００の開放が可能になる。
【０００４】
【発明が解決しようとする課題】
しかし、従来のものでは、つまみ装置１０７を扉１００に装着する際に、組み立て状態で保管されているつまみ装置１０７を一度分解しなければならず、手間を要し、また、手が汚れる等といった不具合があった。
本発明は、上記事情に鑑みてなされたもので、その目的は、分解する必要がなく、簡単に扉に装着することが可能な扉のつまみ装置を提供することにある。
【０００５】
【課題を解決するための手段】
上記目的を達成するために、本発明の扉のつまみ装置は、一端部につまみ部を有し、他端部に固定部を有する操作棒と、この操作棒にそのつまみ部に当接するように嵌合された固定板と、前記操作棒にこれと共に回動可能に嵌合され係止部を有する規制板と、前記操作棒に通され前記規制板に当接する付勢部材と、前記操作棒にこれと一体に回動可能に嵌合されたかぎ部と、前記操作棒の固定部に取り付けられ、前記かぎ部の抜け止めを行って前記付勢部材に前記つまみ部方向への付勢力を作用させる抜け止め部材とを具備したことを特徴とする（請求項１の発明）。
【０００６】
また、この場合の扉のつまみ装置における取り付け方法としては、開口部を有し、且つその開口部に係止部材を有する対象物と、この対象物の開口部にこれを開閉するように設けられ、挿入口及びこの挿入口近傍に被係止部を有する扉と、上記請求項１記載のつまみ装置とを具備し、前記つまみ装置を扉の挿入口にそのかぎ部側から挿入して固定板を扉の前面に回り止め状態に当接させ、その後、つまみ部を介して操作棒を所定方向に回動させることによってかぎ部を回動させて係止部材に係止させると共に、規制板を回動させて、その係止部を扉の被係止部に係止させて規制板を回動不能状態とし、前記規制板により操作棒の回動をかぎ部が係止部材に係止する係止位置と、その係止が解除される解除位置との間に規制するようにする（請求項２の発明）。
【０００７】
この構成によれば、操作棒に通された固定板、規制板、付勢部材、及びかぎ部は抜け止め部材によって当該操作棒に確実に固定されると共に、この抜け止め部材により前記付勢部材に付勢力が発生して、上述したそれぞれの部材が当該付勢力によって密に接触し結合力が向上するので、扉のつまみ装置を運搬中や取り付け作業中に容易に分解してしまったり、或いは振動や衝撃等により部材が抜けたりすることがない。更に、扉のつまみ装置を扉に取り付ける際に別途工具が必要なく、つまみ部を回動させるだけで取り付けることが可能となるので、簡単に当該扉のつまみ装置を扉に取り付けることができる。
【０００８】
また、本発明の扉のつまみ装置は、一端部につまみ部を有し、他端部に長手方向に伸びる平面が形成されたねじ部を有し、つまみ部の付け根に前記ねじ部より突出した角型係合部を有する操作棒と、この操作棒にそのつまみ部に当接するように嵌合され前記操作棒のねじ部側に位置して先端に凹部が形成された二つの突起部を有する固定板と、前記操作棒に嵌合され前記凹部と係脱可能に係合する凸部を有し、これらの係合状態で前記角型係合部を内部に位置させて前記操作棒の略９０度の相対的回動を許容する切欠き部を有する規制板と、前記操作棒に通され一端が前記規制板に当接するばねと、前記操作棒のねじ部に嵌合され、その平面により前記操作棒と一体に回動するかぎ部と、前記操作棒のねじ部に螺合され前記かぎ部の抜け止めを行って前記ばねに前記つまみ部方向への付勢力を作用させるナットとを具備したことを特徴とする（請求項３の発明）。
【０００９】
また、この場合の取り付け方法としては、開口部を有し、且つ、この開口部に係止部材を有する対象物と、この対象物の開口部にこれを開閉するように回動可能に設けられ、挿入口を有し、且つ、この挿入口の近傍に二つの回り止め用凹部、及び二つの係合凹部を有する扉と、上記請求項２記載のつまみ装置とを具備し、前記つまみ装置を扉の挿入口にそのかぎ部側から挿入して固定板をその突起部を回り止め用凹部に係合させながら扉の前面に当接させ、その後、つまみ部を介して操作棒を所定方向に回動させることによってねじ部の平面によりかぎ部を回動させて係止部材に係止させると共に、角型係合部により規制板の切欠き部の縁部を押圧して当該規制板を回動させて、この規制板の回動により規制板の凸部と固定板の凹部の係合を解除させた後、その凸部を扉の係合凹部に係合させ、その後は操作棒の回動が角型係合部が規制板の切欠き部内に位置する範囲内に規制されるようになっている（請求項４の発明）。
【００１０】
上記構成によれば、操作棒に通されたそれぞれの部材の抜け止めはナットによってなされているので、各部材の着脱や組み立てが簡単であると共に、部品交換等も容易に行うことができる。また、ナットの締め付け具合によって、ばねから得られる付勢力の加減ができるので、例えば長距離輸送等で頻繁な揺れや衝撃が予想される場合等は、つまみ装置が分解してしまうのを防止するため当該ナットの締め付けをきつくして、扉のつまみ装置自体の結合力を向上させる等の対処が可能となる。
【００１１】
また、扉のつまみ装置を扉に取り付ける際には、突起部を扉の回り止め用凹部に係合させると共に、つまみ部を回すことで規制板も一体に回動し、当該固定板の突起部の凹部と規制板の凸部との係合が外れ、前記規制板がばねの付勢力によって扉の裏面に当接し、この規制板の凸部が扉の係合凹部に密に係合することに基づいて、確実に扉のつまみ装置を扉に取り付けることができる。また、この取り付けはつまみ部を回すだけで簡単であり、組み付け時間の短縮に起因して作業性向上が向上する。
【００１２】
なお、前記ばねとナットは金属製、他の部材は樹脂製であることを特徴とする（請求項５の発明）。
この場合、抜け止めや付勢力を作用させる等の、扉のつまみ装置を構成する部材において何らかの力が作用する部材は金属性であるため強度が確保でき、また、他の部材は樹脂製であるため所望の形状に容易に形成できると共に、扉のつまみ装置の重量を軽くできる。
【００１３】
【発明の実施の形態】
以下、本発明を発電所における低圧電動機の開閉制御装置の扉に適用した一実施例につき図１〜１１を用いて説明する。
低圧電動機の開閉制御装置１は、コントロールセンタと称されるもので、図２に示すように、垂直箱２を備えている。この垂直箱２は２つの配線処理室３、垂直配線処理室４、５つのユニット室５に分割されており、それぞれのユニット室５には、低圧電動機を開閉制御するユニット６（図３参照）が収納されている。また、ユニット室５は、図３に示すように、正面に開口部７を有しており、この開口部７には、これを開閉すべくヒンジを介した扉８の左端部が枢設されており、この扉８の右端部（自由端部）には、つまみ装置９が取り付けられている。なお、扉８は金属製の薄板からなるものである。
【００１４】
つまみ装置９は、その構造を分解した状態で示す図１のように、操作棒１０、固定板１１、規制板１２、付勢部材たるばね１３、かぎ部１４、及び抜け止め部材たるナット１５によって構成されたものである。
操作棒１０は、図４に示すように、軸部１０ａの一端部につまみ部１０ｂを備え、軸部１０ａの他端部に長手方向に延びて互いに平行な平面１０ｃ、１０ｃを有する固定部たるねじ部、いわゆる雄ねじ部１０ｄを備えており、つまみ部１０ｂの付け根たる軸部１０ａの一端部には角型係合部１０ｅが形成されている。なお、本実施例において、操作棒１０は樹脂製である。
【００１５】
固定板１１は、図５に示すように、中央部に操作棒１０を嵌合させるための筒部１１ａを有した円形状をなす薄板で、その裏面には、先端に凹部１１ｂが形成された一対の突起部１１ｃが設けられている。なお、本実施例において、固定板１１は樹脂製である。
規制板１２は、図６に示すように、中央部に操作棒１０を嵌合させるための筒部１２ａを有し、この筒部１２ａの上下には前記固定板１１の突起部１１ｃに設けられた凹部１１ｂに係合し、且つ当該凹部に対して係脱可能な係止部たる一対の凸部１２ｂが形成されている。また、筒部１２ａには、前記操作棒１０に設けられた角型係合部１０ｅと係合し、操作棒１０の略９０度の回動を許容するための切欠き部１２ｃが形成されている。なお、本実施例において、規制板１２は樹脂製である。
【００１６】
かぎ部１４は、図７に示すように、操作棒１０の雄ねじ部１０ｄの断面と同形の孔１４ａを有しており、また、後方に指向するように湾曲する傾斜部１４ｂ、１４ｂが先端部１４ｃの両側部に形成されている。なお、本実施例において、かぎ部１４は金属製である。
操作棒１０には、上記に説明してきた固定板１１、規制板１２、ばね１３、及びかぎ部１４が順次挿入され、最後にナット１５によって、図８に示すとおり、それぞれの部材が操作棒１０から抜けないように固定され、つまみ装置９として一体に組み立てられている。なお、ナット１５は金属製である。
【００１７】
上記のように構成されたつまみ装置９を、低圧電動機における開閉制御装置１のユニット室５に設けられた扉８に取り付ける手順を説明する。
つまみ装置９を固定する扉８の自由端部には図１、及び図９に示すように、表面から裏面に貫通する円形状の挿通口８ａが形成され、この挿通口８ａの上下近傍には、回り止め用凹部たる一対の矩形状の孔部８ｂ、８ｂが形成されていると共に、挿通口８ａの左右近傍には、被係止部たる係合凹部、いわゆる係合孔８ｃ、８ｃが形成されている。
なお、これらの挿通口８ａ、孔部８ｂ、８ｂ、係合孔８ｃ、８ｃは、同時に打ち抜き形成されるようになっている。また、ユニット室５の開口部７には係止部材１６が立設されている。この係止部材１６は、ユニット６と一体に設けられていてもよい。
【００１８】
而して、扉８によりユニット室５の開口部７を閉塞した状態、或いは開放した状態にて、図９に示すように、挿入口８ａにつまみ装置９をかぎ部１４側から全体を傾斜させた状態にして挿入する。つまみ装置９を挿入口８ａに挿入したら、図１０（ａ）に示すように、固定板１１を扉８の前面に当接させる。この時、前記矩形状の孔部８ｂ、８ｂに前記固定板１１の突起部１１ｃ、１１ｃを係合させて回動不能状態、いわゆる回り止め状態にする。
【００１９】
突起部１１ｃ、１１ｃは扉８前板よりも厚いため、その先端は扉８の裏側に突き出て、この先端に設けられた凹部１１ｂと係合している凸部１２ｂを有する規制板１２も扉８の裏側に位置する。この際における規制板１２の切欠き部１２ｃと、操作棒１０の角型係合部１０ｅとの係合状態は、操作棒１０の正面側から見ると、図１０（ｂ）のように、角型係合部１０ｅは右側を向いて位置して、切欠き部１２ｃの時計方向側の縁部１２ｃａに当接、係合するものである。また、かぎ部１４と、操作棒１０に形成された雄ねじ部１０ｄとの状態は、図１０（ｃ）に示すように、雄ねじ部１０ｄの平面１０ｃと平行にかぎ部１４は上側に向いて垂直となっているものである。
【００２０】
次に、この状態から操作棒１０のつまみ部１０ｂを所定方向たる時計方向に回すと、操作棒１０の角型係合部１０ｅが、これと係合している規制板１２の切欠き部１２ｃの縁部１２ｃａを押圧するので、当該規制板１２が同方向へ回動し、固定板１１に設けられた突起部１１ｃの先端の凹部１１ｂから前記規制板１２の凸部１２ｂが外れる。この時、規制板１２には、ばね１３によってつまみ部１０ｂ方向への付勢力が作用しているため、当該固定板１１から外れた規制板１２の凸部１２ｂ、１２ｂは扉８の裏面に当接される。そして、つまみ部１０ｂを図１０（ａ）の状態から時計方向に略９０度回動させて、図１１（ａ）の状態にすると、図１２に示すように、扉８の係合孔８ｃ、８ｃに当該規制板１２の凸部１２ｂ、１２ｂが前記ばね１０による付勢力によって嵌り込み、扉８の裏面に規制板１２が固定される。
【００２１】
この際における規制板１２の切欠き部１２ｃと、操作棒１０の角型係合部１０ｅとの係合状態は、図１１（ｂ）のように、角型係合部１０ｅは下側を向いて位置し、規制板１２の切欠き部１２ｃは右側方を向いて固定されるものである。また、かぎ部１４と操作棒１０に形成された雄ねじ部１０ｄとの状態は、図１１（ｃ）に示すように、雄ねじ部１０ｄの平面１０ｃと平行にかぎ部１４は右側を向いて水平となっている。
【００２２】
この場合、かぎ部１４が、図１０の状態から図１１の状態になる過程においては、傾斜部１４ｂ（図中、下側の傾斜部）から係止部材１６の裏面側に侵入するので、先端部１４ｃが係止部材１６の縁部１６ａに衝突するようなことなく当該係止部材１６の裏面に係止される。なお、扉８の閉塞状態では、図１２に示すように、扉８の周辺部に形成されたフランジ部８ｄが前記係止部材１６の前面に当接している。
【００２３】
以上のように、つまみ装置９は、扉８に固定される。
次に、扉８の開閉において当該つまみ装置９の作用を説明する。
つまみ装置９は、かぎ部１４の先端部１４ｃが係止部材１６の裏面に係止されることで扉８を閉塞状態に保持している。この時、つまみ部１０ｂは、水平に位置しており、かぎ部１４も前記つまみ部１０ｂ同様に水平に位置して扉８を閉塞状態として保持している。
【００２４】
扉８を開けるときには、前記つまみ部１０ｂを反時計方向に回す。これにより、かぎ部１４もつまみ部１０ｂが回動した分だけ回動するので、かぎ部１４の先端部１４ｃと、係止部材１６の裏面との係止が外れる。つまみ部１０ｂを、更に反時計回りに回動させると、操作棒１０の角型係合部１０ｅが切欠き部１２ｃの反時計方向側の縁部１２ｃｂに係止されて当該操作棒１０のそれ以上の回動は阻止されるようになる。このとき、つまみ部１０ｂ、及びかぎ部１４は垂直状態になる。かぎ部１４の先端部１４ｃと、係止部材１６との係止が外れると扉８は開けられる。
【００２５】
また、扉８にて開口部７を閉塞状態に保持する場合は、まず扉８により開口部７を閉塞させる。このとき、扉８のフランジ部８ｄが係止部材１６の前面に当接する。この状態でつまみ部１０ｂを時計方向に回動させる。つまみ部１０ｂが回動するとかぎ部１４も同様に回動し、かぎ部１４の傾斜部１４ｂにガイドされて当該かぎ部１４の先端部１４ｃが係止部材１６の裏面に係止し、扉８は閉塞状態に保持される。即ち、扉８に取り付けられたつまみ装置９は、係止位置として、角型係合部１０ｅが切欠き部１２ｃの一方の縁部１２ｃａに係止される位置と、解除位置として、当該角型係合部１０ｅが他方の縁部１２ｃｂに係止される位置との間の略９０度の範囲に操作棒１０の回動を規制し、扉８を閉塞状態に保持する場合と、その保持を解除する場合とを具現するものである。
【００２６】
なお、本発明は上記し、且つ図面に示す実施例にのみ限定されるものではなく、次のような拡張、或いは変形が可能である。
本実施例では扉８に係合孔８ｃ、及び固定板１１の突起部１１ｃに凹部１１ｂを設け、規制板１２にこれらと係合する凸部１２ｂを設けるようにしたが、逆に、扉８、及び固定板１１に凸部を設け、規制板１２にこれらと係合する凹部（孔部）を設けるようにしてもよく、且つこれらの個数は任意に設定することができる。
固定板１１の突起部１１ｃは、扉８の裏面から突出させなくても、先端がその裏面と面一になる構成としてもよい。
操作棒１０に、雄ねじ部１０ｄの代わりに係止孔を設け、ナット１５の代わりにその係止孔に圧入される抜け止め部材としてピンを設けるようにしてもよい。
【００２７】
固定板１１に、突起部１１ｃの代わりに複数のピンを設け、扉にこのピンと係合して固定板１１の回り止めを行う孔を設けるようにしてもよい。
かぎ部１４の先端部１４ｃにおいて、その両側部に湾曲した傾斜部１４ｂを形成したが、係止部材１６に係止する方だけの側部に形成したり、或いは傾斜部１４を形成しない構成としてもよい。
操作棒１０、固定板１１、及び規制板１２を樹脂製、ばね１３、かぎ部１４、及びナット１５を金属製としたが、重量を軽くするために全部材を樹脂製にしたり、或いは強度を向上させるために全部材を金属製にしたり、部材の材質は適宜変更すればよい。
【００２８】
つまみ装置９を取り付ける扉８が大きい場合等には、つまみ装置９全体の寸法を大きくし、この場合、操作性を考慮すると、つまみ部１０ｂを、例えば長尺な棒状のものとするのがよい。
つまみ装置９を、金属製の薄板によって構成された扉８ではなく、厚みのある扉に取り付ける場合には、規制板１２の凸部１２ｂの高さ、或いはばねの付勢力等を適宜調節して対応すればよい。
そして、実施例では、本発明をコントロールセンタのユニット室５の扉８に適用した場合であるが、他の装置の扉に適用してもよく、特には、スライド式の扉に適用してもよい。
【００２９】
【発明の効果】
以上の説明から明らかなように、本発明によれば、つまみ装置を扉に取り付ける際に、当該つまみ装置を分解したり、工具を使用したりすることなく、簡単に扉に装着することが可能となる。
【図面の簡単な説明】
【図１】本発明の第１の実施例を示すつまみ装置の分解斜視図
【図２】電動機の制御装置の斜視図
【図３】電動機の制御装置の部分拡大図
【図４】操作棒の正面図（ａ）、及び側面図（ｂ）
【図５】固定板の背面図（ａ）、及び側面図（ｂ）
【図６】規制板の図４相当図
【図７】かぎ部の図４相当図
【図８】つまみ装置の側面図
【図９】つまみ装置を扉に挿入する際の斜視図
【図１０】（ａ）はつまみ装置を扉に挿入した状態を示す図、（ｂ）は規制板と角型係合部の係合状態を示す図、（ｃ）は雄ねじ部とかぎ部の係合状態を示す図
【図１１】（ａ）はつまみ装置が扉に固定された状態を示す図、（ｂ）は規制板と角型係合部の係合状態を示す図、（ｃ）は雄ねじ部とかぎ部の係合状態を示す図
【図１２】扉に取り付けられたつまみ装置部分の横断面図
【図１３】従来品を示す図１相当図
【符号の説明】図中、１は開閉制御装置（対象物）、７は開口部、８は扉、８ａは挿入口、８ｃは被係止部材、９はつまみ装置（扉のつまみ装置）、１０は操作棒、１０ｂはつまみ部、１０ｄは雄ねじ部（固定部）、１１は固定板、１２は規制板、１２ｂは凸部（係止部）１３はばね（付勢部材）、１４はかぎ部、１５はナット（抜け止め部材）、１６は係止部材である。
【図１】
2004339872.tif 000003
【図２】
2004339872.tif 000004
【図３】
2004339872.tif 000005
【図４】
2004339872.tif 000006
【図５】
2004339872.tif 000007
【図６】
2004339872.tif 000008
【図７】
2004339872.tif 000009
【図８】
2004339872.tif 000010
【図９】
2004339872.tif 000011
【図１０】
2004339872.tif 000012
【図１１】
2004339872.tif 000013
【図１２】
2004339872.tif 000014
【図１３】
2004339872.tif 000015